(57)【要約】【課題】扉は閉じられているがハンドル部が引き上げられたままの状態のみならず、ハンドル部は閉じられているが扉が開いている状態を遠隔操作する管理者が認識することができるハンドル装置を提供する。【解決手段】ハンドル装置本体部３に設けられたソレノイド１０によって作動してハンドル部４の下端部に設けた止め金８と係脱する受け金レバー９と、この受け金レバー９の後方に設けられ傾斜面３６と当接面３７とが受け金レバー９から下方に突出して止め金８によって持ち上げられるスイッチ用ラッチ３４と、このスイッチ用ラッチ３４の上側に設けられスイッチ用ラッチ３４の上下動によりオン・オフする下部スイッチ本体３３とを備え、ハンドル部４が閉じたことを制御パネルに伝えるための下部スイッチ１１とを設けるとともに、扉２が閉じたときに枠体側に当接して扉２が閉じたことを制御パネルに伝える背面スイッチ１２を設けている。【選択図】図５
2013231314.tif 000002
【特許請求の範囲】
【請求項１】
縦長のハンドル装置本体部の前面にハンドル装置本体部の前面から斜めに突出した状態と、ハンドル装置本体部の前面と面一状に閉じた状態との間で回動自在に上端が水平軸心により枢結されたハンドル部を設け、ボックスの扉側に取付けられるハンドル装置であって、
ハンドル装置本体部の下端部に設けられたソレノイドによって作動してハンドル部の下端部に上向きに設けた止め金と係脱する受け金レバーと、
この受け金レバーの後方に設けられ、前記止め金によって持ち上げられるスイッチ用ラッチと、このスイッチ用ラッチの上側に設けられスイッチ用ラッチの上下動によりオン・オフするスイッチ本体とを備え、ハンドル部が閉じたことを認識装置に伝えるための第１のスイッチとを設けるとともに、
扉が閉じたときにボックスの枠体側に当接して扉が閉じたことを認識装置に伝えるための第２のスイッチを設けてなることを特徴とするハンドル装置。
【発明の詳細な説明】
【技術分野】
【０００１】
本発明は、機器類を格納したボックス本体に設けられる扉に取り付けられ、この扉ボックス本体側に係止するハンドル装置に関する。
【背景技術】
【０００２】
従来、この種のハンドル装置としては、特許文献１に記載されているものが知られている。特許文献１に記載のハンドル装置は、ハンドル装置本体部にソレノイドが設けられており、ソレノイドのプランジャーには受金レバー板が連結されている。ハンドル部の下端には止め金板が設けられており、ハンドルが閉じられたとき止め金板が受金レバー板に係合する。機器ボックスの管理者が遠隔操作によって解錠信号として所定の電流をソレノイドに流すと、受金レバー板と止め金板との係合が解除され、ハンドル部が引き出し可能な状態となる。
【０００３】
ハンドル装置本体部にはハンドル部の裏面に当接するボタンが設けられており、操作者がハンドル部を引き上げたときボタンはオンとなる。ハンドル部を握って扉を閉じ、ハンドル部をハンドル装置本体部に押し戻して閉じると、止め金板と受金レバー板とが係合して扉は枠体にロックされ、ボタンはオフとなる。これによって、管理者は扉が閉じられたことを知ることができる。
【先行技術文献】
【特許文献】
【０００４】
【特許文献１】特開２０１２−３６６５１号公報
【発明の概要】
【発明が解決しようとする課題】
【０００５】
特許文献１に記載のハンドル装置では、開けた扉を閉じるとき、扉を確実に閉じ切らない状態で、ハンドル部をハンドル装置本体部側に押し戻すことがあり得る。このような場合には扉が機器ボックス本体にロックされていないが、ハンドル部が押し戻されてボタンがオフの状態となるので、管理者はこのような状態を異常として認識することができないという問題がある。
【０００６】
本発明の目的は、このような課題を解決するもので、扉は閉じられているがハンドル部が引き上げられたままの状態のみならず、ハンドル部は閉じられているが扉が開いている状態を遠隔操作する管理者が認識することができるハンドル装置を提供することである。
【課題を解決するための手段】
【０００７】
この課題を解決するために本発明は、縦長のハンドル装置本体部の前面にハンドル装置本体部の前面から斜めに突出した状態と、ハンドル装置本体部の前面と面一状に閉じた状態との間で回動自在に上端が水平軸心により枢結されたハンドル部を設け、ボックスの扉側に取付けられるハンドル装置であって、ハンドル装置本体部の下端部に設けられたソレノイドによって作動してハンドル部の下端部に上向きに設けた止め金と係脱する受け金レバーと、この受け金レバーの後方に設けられ前記止め金によって持ち上げられるスイッチ用ラッチと、このスイッチ用ラッチの上側に設けられスイッチ用ラッチの上下動によりオン・オフするスイッチ本体とを備え、ハンドル部が閉じたことを認識装置に伝えるための第１のスイッチとを設けるとともに、扉が閉じたときにボックスの枠体側に当接して扉が閉じたことを認識装置に伝えるための第２のスイッチを設けたものである。
【発明の効果】
【０００８】
請求項１記載の発明によれば、扉が閉じられたことを第２のスイッチで確認することができ、ハンドル部の止め金がハンドル装置本体部の受け金レバーに係合していることを第１のスイッチで確認することができるので、扉は閉じられているがハンドル部が引き上げられたままの状態のみならず、ハンドル部は閉じられているが扉が開いている状態を遠隔操作する管理者が認識することができる。
【図面の簡単な説明】
【０００９】
【図１】本発明の一実施の形態に係るハンドル装置の構成部品を示す要部分解斜視図である。
【図２】同ハンドル部が引き上げられたハンドル装置の側面図である。
【図３】同ハンドル部が閉じられたハンドル装置を背面側から見た斜視図である。
【図４】同ハンドル部が閉じられたハンドル装置を前面側から見た斜視図である。
【図５】同ハンドル部が閉じられてハンドル部がハンドル装置本体部に係合したハンドル装置の縦断面図である。
【図６】同図５の状態における要部機構を示す拡大側面図である。
【図７】同要部機構を背面側から見た斜視図である。
【図８】同ハンドル部が閉じられた状態でハンドル部とハンドル装置本体部との係合が解除されたハンドル装置の縦断面図である。
【図９】同図８の状態における要部機構を示す拡大側面図である。
【図１０】同要部を背面側から見た斜視図である。
【図１１】同ハンドル部が引き上げられソレノイドへの電流供給が停止されたハンドル装置の縦断面図である。
【図１２】同図１１の状態における要部機構を示す拡大側面図である。
【図１３】同錠前ユニットを手動で操作してハンドル部とハンドル装置本体部との係合が解除された状態における要部機構を示す拡大側面図である。
【図１４】同ハンドル部が閉じられたときのサーバーボックスの縦断面図である。
【図１５】同ハンドル部が引き上げられたときのサーバーボックスの縦断面図である。
【発明を実施するための形態】
【００１０】
以下、本発明の一実施の形態について図１〜図１５に基づいて説明する。ハンドル装置は、たとえばサーバーが収納されるサーバーボックス１の扉２に取付けられる。ハンドル装置は、扉２に取り付けられる縦長のハンドル装置本体部３を備える。ハンドル装置本体部３の前面にはハンドル部４が設けられる。ハンドル部４は、上端がハンドル装置本体部３の前面に回動自在に枢結されている。ハンドル装置本体部３の背面側上部には、ハンドル部４の操作によってサーバーボックス１側の受け金５に係脱するフック６が設けられる。ハンドル部４の下端部には錠前ユニット７が収納されており、この錠前ユニット７に上向きに出退可能に設けられた止め金８が、ハンドル装置本体部３の下端部に設けられた受け金レバー９に係合して、ハンドル部４がハンドル装置本体部３に固定される。受け金レバー９はハンドル装置本体部３の下端部内側に設けられたソレノイド１０に連結されており、遠隔操作可能である。受け金レバー９の後方には、ハンドル部４の止め金８が当接して作動する下部スイッチ１１が設けられる。さらにハンドル装置本体部３の背面側には、扉が閉じられたとき作動する背面スイッチ１２が設けられる。
【００１１】
ハンドル部４は、基端部が連結ピン１３によって水平軸心の周りで回動可能にハンドル装置本体部３に枢結されており、この枢結部より下側が把手部１４となる。ハンドル部４の基端部は斜め上向きに伸延して駆動部１５が形成されている。駆動部１５の先端部にはリンク板１６が連結されている。リンク板１６には、サーバーボックス１の上部に設けられた受け金に係合する係合部が連結されている。受け金と係合部とは図示しないが、後述するリンク板２５に連結される係合部１８と、サーバーボックス１の下部に設けられる受け金１９との構成と同様である。
フック６は、連結ピン２０によって基端部がハンドル装置本体部３に回転可能に軸支されており、ローラー２１を介して駆動部１５の端面に当接している。フック６の端面には、ハンドル部４が閉じられたときにボックス本体の受け金５に係合する係止片２２が形成されている。
ハンドル装置本体部３の基端部下方には回動板２３が設けられる。回動板２３は、連結ピン２４によって一端部がハンドル装置本体部３に回動可能に軸支されている。回動板２３の他端部にはリンク板２５が回動可能に軸支されており、リンク板２５はこの状態で連結板２６を介してハンドル部４に連結されている。リンク板２５には係合部１８が連結されており、係止部１８はハンドル部４の開閉操作によって、サーバーボックス１の下部に設けられた受け金１９に係脱可能である。
【００１２】
ソレノイド１０は、ハンドル装置本体部３の背面側からハンドル装置本体部３の下部に収納される。受け金レバー９は、ソレノイド１０の下方に設置される。受け金レバー９は一体的に形成され、軸心が水平方向に向く軸部２９を備えている。受け金レバー９は、軸部２９によってハンドル装置本体部３に回動可能に軸支される。受け金レバー９の上端には長穴３０が形成されており、受け金レバー９とソレノイド１０のプランジャー３１とは長穴３０に挿通された連結ピン３２によって連結されている。ソレノイド１０が通電されていないときには、プランジャー３１は上下動可能であり、受け金レバー９はばね付勢された状態で下方に押し下げられている。
【００１３】
制御パネル（図示せず）のスイッチをオンにしてソレノイド１０に解除信号として所定の電流を供給すると、ソレノイド１０の励磁によってプランジャー３１がソレノイド１０本体側に吸引される。プランジャー３１に連結された受け金レバー９は、ばね力に抗して軸部２９を中心として上方に回動される。ハンドル部４の止め金８と受け金レバー９との係合が解除され、ハンドル部４は引き上げ可能な状態となる。
【００１４】
下部スイッチ１１は受け金レバー９の後方に設けられ、下部スイッチ本体３３とスイッチ用ラッチ３４とを備える。下部スイッチ本体３３は略直方体に形成されており、下面にはフラップ状の接点３５が設けられる。スイッチ用ラッチ３４はコの字状に形成されており、下部スイッチ本体３３の下面側を覆うように配置される。スイッチ用ラッチ３４は、前記フラップ状の接点３５を介して下部スイッチ本体３３のスイッチが突出する機構により、下方にばね付勢された状態で上下方向に移動可能である。
スイッチ用ラッチ３４の下部には、幅方向中央の幅狭な傾斜面３６と傾斜面３６の後方に連設された幅広な当接面３７とが形成されている。受け金レバー９の当接面４１中央部には切欠き部３８が形成されており、傾斜面３６はこの切欠き部３８に位置して止め金８と当接可能である。なお、下部スイッチ本体３３はハンドル装置本体部３の背面側を覆う背面プレート３９にねじ止めされる。
【００１５】
背面スイッチ１２は、略円筒形に形成されており、背面スイッチ本体４０の外周には雄ねじが形成されている。背面スイッチ１２は、接点４５がハンドル装置本体部３の背面側に突出した状態で背面プレート３９にナット４２止めされる。
【００１６】
ハンドル装置本体部３には前面側にＬＥＤランプ４３が設けられる。ＬＥＤランプ４３はハンドル部４の基端部下側の前面に臨むように、ハンドル装置本体部３の背面側から収納される。サーバーボックスが多数個設置されている場合に、遠隔操作する管理者は、特定のサーバーボックスのＬＥＤランプを点灯させて、保守点検などの作業を行うべきサーバーボックスを現場の作業者に知らせることができる。
【００１７】
ここでハンドル装置の動作について説明する。図５，図６および図７に示すように、サーバーボックス１の扉２が閉じられ、ハンドル部４がハンドル装置本体部３側の前面と面一状に閉じた状態で、ソレノイド１０が励磁されていないときには、フック６はサーバーボックス１側の受け金５に係合し、サーバーボックス１の上部および下部の受け金１９には係止部１８が係止している。錠前ユニット７の止め金８は、受け金レバー９の当接面４１後方に位置して受け金レバー９に係合している。
【００１８】
このとき、止め金８の先端部はスイッチ用ラッチ３４の当接面３７に当接して、スイッチ用ラッチ３４を上方に押し上げている。押し上げられたスイッチ用ラッチ３４は、下部スイッチ本体３３の接点３５に当接しており、下部スイッチ１１はオンとなる。背面スイッチ１２の接点４５は、サーバーボックス１側に設けられた当接板４４に当接してオンとなる。
【００１９】
遠隔操作する管理者は、下部スイッチ１１のオン信号と背面スイッチ４０のオン信号とを受けとることによって、サーバーボックス１の扉２が閉じられ、ハンドル部４がハンドル装置本体部３側に押し戻されて、フック６がサーバーボックス１の受け金５に係合し、さらに、係止部１８がサーバーボックス１の上部および下部の受け金１９に係止して、扉２がサーバーボックス１にロックされていることを認識することができる。
【００２０】
ハンドル装置の管理者が、制御パネル（図示せず）のスイッチをオンにして、ソレノイド１０に解除信号としての所定電流を供給すると、プランジャー３１がソレノイド１０本体側に吸引され、図８，図９および図１０に示すようにプランジャー３１に連結された受け金レバー９は、軸部２９を中心として回動されプランジャー３１とともにソレノイド１０本体側に引き上げられ、止め金８と受け金レバー９との係合が解除される。この状態で、ハンドル部４は引き上げ可能となる。
【００２１】
図８に示す状態からハンドル部４が引き上げられると、フック６がサーバーボックス１の受け金５から外れ、サーバーボックス１の上部および下部の受け金１９に係止している係止部１８が受け金１９から外れる。さらに、スイッチ用ラッチ３４の当接面３７に当接している止め金８が当接面３７から離れる。止め金８が当接面３７から離れると、スイッチ用ラッチ３４は、下向きの付勢力によって押し下げられる。これによってスイッチ用ラッチ３４は下部スイッチ本体３３から離れ、下部スイッチ１１はオフとなる。
【００２２】
遠隔操作する管理者は、下部スイッチ１１のオフ信号と背面スイッチ１２のオン信号とを受けることによって、サーバーボックス１の扉２は閉じられているが、ハンドル部４がハンドル装置本体部３側から引き上げられてフック６がサーバーボックス１の受け金５から離れ、サーバーボックス１の上部および下部の受け金１９に係止している係止部１８が受け金１９から外れて、扉２のロックが解除されていることを認識することができる。
【００２３】
サーバーボックス１がこのような状態で放置されている場合には、管理者がＬＥＤランプ４３を点灯させることによって、作業者に異常が発生したサーバーボックスを知らせることができる。管理者がソレノイド１０に供給する電流を停止すると、プランジャー３１が下方に突出し、受け金レバー９は下方に回動する。図１１，図１２は、このときの状態を示す。
操作者が、引き上げられたハンドル部４を手前に引いて扉２を開けると、背面スイッチ１２の接点４５が当接板４４から離れて、背面スイッチ１２はオフとなる。遠隔操作する管理者は、下部スイッチ１１のオフ信号と背面スイッチ１２のオフ信号とを受けとることによって、ハンドル部４がハンドル装置本体部３側から引き出されて、フック６がサーバーボックス１の受け金５から外れ、サーバーボックス１の上部および下部の受け金１９に係止している係止部１８が受け金１９から外れた状態で、扉２が開けられていることを認識することができる。
【００２４】
操作者が、引き上げられたハンドル部４を持って扉２を閉めると、背面スイッチ１２の接点４５が当接板４４に当接して、背面スイッチ１２がオンとなり、図１１，図１２に示す状態となる。遠隔操作する管理者は、下部スイッチ１１のオフ信号と背面スイッチ１２のオン信号とを受けることによって、サーバーボックス１の扉２は閉じられているが、ハンドル部４がハンドル装置本体部３側から引き上げられたままの状態にあり、フック６がサーバーボックス１の受け金５から離れており、サーバーボックス１の上部および下部の受け金１９に係止される係止部１８が受け金１９から外れて、扉２のロックが解除されていることを認識することができる。
【００２５】
ハンドル部４を押し下げていくと、錠前ユニット７の止め金８が受け金レバー９の当接面４１に当接する。止め金８は、プランジャー３１が吸引される方向に当接面４１を押し上げながら後方に移動する。そして止め金８は、受け金レバー９の当接面４１のみならず、受け金レバー９の切欠き部３８内に位置するスイッチ用ラッチ３４の傾斜面３６にも当接する。ハンドル部４をさらに押し下げると、止め金８は受け金レバー９の当接面４１から離れ、受け金レバー９はばね力によって下方に回動する。これによって止め金８は再び受け金レバー９に係合される。そして止め金８は傾斜面３６の後方に位置する当接面３７に移動する。スイッチ用ラッチ３４は、止め金８によって上方に押し上げられ、下部スイッチ１１はオンとなり、図５，図６および図７に示す状態となる。
【００２６】
遠隔操作する管理者は、下部スイッチ１１のオン信号と背面スイッチ１２のオン信号とを受けることによって、サーバーボックス１の扉２が閉じられ、ハンドル部４がハンドル装置本体部３側に押し戻されて、フック６がサーバーボックス１の受け金５に係合し、係止部１８がサーバーボックス１の上部および下部の受け金１９に係止して扉２が正常にロックされていることを認識することができる。
【００２７】
扉２が完全に閉まり切っていない状態でハンドル部４を押し下げた場合には、止め金８が受け金レバー９に係合して、ハンドル部４はハンドル装置本体部３に固定されるが、フック６はサーバーボックス１の受け金５に係合しておらず、係止部１８もサーバーボックス１の上部および下部の受け金１９に係止されていない。この状態では、スイッチ用ラッチ３４は下部スイッチ本体３３に当接し、下部スイッチ１１はオンとなるが、背面スイッチ１２の接点４５は、サーバーボックス１側の当接板４４に当接していないのでオフのままである。
【００２８】
遠隔操作する管理者は、下部スイッチ１１のオン信号と背面スイッチ１２のオフ信号とを受けることによって、サーバーボックス１の扉２が閉じられていない状態でハンドル部４がハンドル装置本体部３側に押し戻された異常な状態を認識することができる。このとき管理者は、ＬＥＤランプ４３を点灯させることによって、異常な状態にあるサーバーボックス１を作業者に知らせることができる。
【００２９】
なお、管理者がソレノイド１０に供給する電流を停止している場合であっても、作業者は、錠前ユニット７に鍵を差し込んで止め金８と受け金レバー９との係合を解除することができる。作業者が錠前ユニット７に鍵を差し込んで止め金８と受け金レバー９との係合を解除したときの要部の状態を図１３に示す。
【００３０】
このように、縦長のハンドル装置本体部３の前面にハンドル装置本体部３の前面から斜めに突出した状態と、ハンドル装置本体部３の前面と面一状に閉じた状態との間で回動自在に上端が水平軸心により枢結されたハンドル部４を設け、ボックスの扉２側に取付けられるハンドル装置は、ハンドル装置本体部３の下端部に設けられたソレノイド１０によって作動してハンドル部４の下端部に上向きに設けた止め金８と係脱する受け金レバー９と、この受け金レバー９の後方に設けられ下端凸部である傾斜面３６が受け金レバー９の中央に形成された切欠き部３８から下方に突出して止め金８によって持ち上げられるスイッチ用ラッチ３４と、このスイッチ用ラッチ３４の上側に設けられスイッチ用ラッチ３４の上下動によりオン・オフするスイッチ本体である下部スイッチ本体３３とを備え、ハンドル部４が閉じたことを認識装置である制御パネルに伝えるための第１のスイッチである下部スイッチ１１とを設けるとともに、扉２が閉じたときにサーバーボックス１の枠体側に当接して扉２が閉じたことを制御パネルに伝えるための第２のスイッチである背面スイッチ１２を設けているので、扉２が閉じられたことを背面スイッチ１２で確認することができ、ハンドル部４の止め金８がハンドル装置本体部３の受け金レバー９に係合していることを下部スイッチ１１で確認することができるので、遠隔操作する管理者は、操作者がハンドル部４を押し戻して閉じたとき、ハンドル部４がハンドル装置本体部３に係合し、さらに扉２が枠体側にロックされていることを現場に赴くことなく確認することができる。
【符号の説明】
【００３１】
１    サーバーボックス
２    扉
３    ハンドル装置本体部
４    ハンドル部
５    受け金
６    フック
７    錠前ユニット
８    止め金
９    受け金レバー
１０    ソレノイド
１１    下部スイッチ
１２    背面スイッチ
１３    連結ピン
１４    把手部
１５    駆動部
１６    リンク板
１８    係合部
１９    受け金
２０，２４    連結ピン
２１    ローラー
２２    係止片
２３    回転板        
２５    リンク板
２６    連結板
２９    軸部
３０    長穴
３１    プランジャー
３２    連結ピン
３３    下部スイッチ本体
３４    スイッチ用ラッチ
３５    接点
３６    傾斜面
３７    当接面
３８    切欠き部
３９    背面プレート
４０    背面スイッチ本体
４１    当接面
４２    ナット
４３    ＬＥＤランプ
４４    当接板
４５    接点
【図１】
2013231314.tif 000003
【図２】
2013231314.tif 000004
【図３】
2013231314.tif 000005
【図４】
2013231314.tif 000006
【図５】
2013231314.tif 000007
【図６】
2013231314.tif 000008
【図７】
2013231314.tif 000009
【図８】
2013231314.tif 000010
【図９】
2013231314.tif 000011
【図１０】
2013231314.tif 000012
【図１１】
2013231314.tif 000013
【図１２】
2013231314.tif 000014
【図１３】
2013231314.tif 000015
【図１４】
2013231314.tif 000016
【図１５】
2013231314.tif 000017